(57)【特許請求の範囲】
【請求項１】
地上に構築された骨格材にシート材を張設してなる簡易建屋において、天井部が急傾斜面、緩傾斜面で三角形に形成され、天井部の急傾斜面に張設されているシート材を巻上げ開放可能にし、天井部の急傾斜面、緩傾斜面は骨格材の共通の梁に支持され、天井部の緩傾斜面と梁との間に急傾斜面よりも緩やかな傾斜角度の補助支柱が掛渡されていることを特徴とする簡易建屋。
【発明の詳細な説明】
【０００１】
【発明の属する技術分野】
本発明は、作物の栽培スペースを囲むビニルハウス等の簡易建屋に係る技術分野に属する。
【０００２】
【従来の技術】
一般に、地上に構築された骨格材にシート材を張設してなる簡易建屋では、側壁部に張設されたシート材を巻上げ開放可能に構成して、内部への空気（風）の流通を確保している。然しながら、空気を排出する開放部が小さいため、熱した空気の排出速度が緩慢で屋内の温度調節を敏感にできない不具合があるこまた側壁部から流入した空気がそのまま他の側壁部から流失してしまうため、天井部付近に空気の滞溜が生じてしまい、酸素濃度，温度等との関係から作物育成環境が悪化するという不具合がある。このため、温度詞節を鋭敏に行い、かつ、屋内全体へ空気を流通させることのできる簡易建屋の開発が切望されている。
【０００３】
従来、屋内全体へ空気を流通させることのできる簡易建屋としては、例えば、特公昭63−21450号公報に記載のものが知られている。
【０００４】
この従来の簡易建屋は、円弧形の天井部に開閉可能な天窓を設けてなるもので、開放した天窓から空気を流出入させて、屋内全体への空気の流出入をさせるものである。
【０００５】
【発明が解決しようとする課題】
前述の従来の簡易建屋では、円弧形の天井部に天窓を開閉可能に設備しなければならないため、天井部付近の構造が複雑化して構築コストが高くなるというという問題点がある。また、空気の流出入口となる天窓がほぼ直上に向けて開放されるため、雨天時には使えない欠点がある。また天窓が構造的に開放部を狭小にしているため、内部との空気の流出入が充分に得られず、屋内全体への空気流通が不充分かつ緩慢になるという問題点がある。
【０００６】
本発明は、このような問題点を考慮してなされたもので、天井部付近の構造が簡素で構築コストが安価であるとともに、開放部が雨天時にも無関係に使用できる構造で、温度調節を鋭敏に行え、屋内全体への空気の流出入が充分に行える簡易建屋を提供することを課題とする。
【０００７】
【課題を解決するための手段】
前述の課題を解決するため、本発明に係る簡易建屋は、次のような手段を採用する。
【０００８】
即ち、地上に構築された骨格材にシート材を張設してなる簡易建屋において、天井部が急傾斜面、緩傾斜面で三角形に形成され、天井部の急傾斜面に張設されているシート材を巻上げ開放可能にし、天井部の急傾斜面、緩傾斜面は骨格材の共通の梁に支持され、天井部の緩傾斜面と梁との間に急傾斜面よりも緩やかな傾斜角度の補助支柱が掛渡されていることを特徴とする。
【０００９】
この手段では、天井部の一部のシート材の巻上げによって空気の流出入口を形成することで、天井部付近の構造の複雑化を避け構築コストを安価にしている。また、空気の流出入口を天井部の急傾斜面としたので空気の排出・流入が著しく迅速で、一気に熱気を逃がすことができるとともに内部に流入した空気が天井部の緩傾斜面で緩やかに下方へ案内されるから、屋内全体への空気の流通が自由になる。こうした著しく自由な空気流通構造に耐久性を持たせるためシート材の巻取りに伴う応力等が掛かる天井部の緩傾斜面を補助支柱が支えている。
【００１６】
【発明の実施の形態】
以下、本発明に係る簡易建屋の実施の形態を図面に基づいて説明する。
【００１７】
図1〜図3は、本発明に係る簡易建屋の実施の形態（1）を示すものである。
【００１８】
この実施の形態では、比較的大規模に構築されるものを示してある。
【００１９】
この実施の形態は、地上Gに構築された骨格材1にシート材2を張設してなる従来の基本構造が採用され、骨格材1の一部である天井部11が急傾斜面111，緩傾斜面112で三角形に形成されている。なお、これ等の急傾斜面111，緩傾斜面112からなる三角形の天井単位は、図1に示すように、多数が並設されて天井部11の全面を鋸歯形に覆っている。
【００２０】
天井部11の急傾斜面111は、図2に詳細に示されるように、骨格部材1の梁12に取付ブラケット13を介して相対的に急な傾斜角度で支持されている。この急傾斜面111は、取付ブラケット13に支持されたフレーム材111aと、フレーム材111aに一定の間隔を介して水平に配設された横パイプ材111bと、横パイプ材111bに直交するように一定の間隔を介して横パイプ材111bの外側に配設された綻パイプ材111cとからなる。
【００２１】
天井部11の急傾斜面111の縦パイプ材111cの外側には、透明の合成樹脂材からなるシート材2が張設されている。このシート材2は、上端部がく字形の固定用プレート3で急傾斜面111の上端部に固定され、上端部から下方部分が急傾斜面111に対して自由状態になっている。そして、このシート材2は、下端部が水平方向へ配設された巻ローラ4に連結されている。巻ローラ4は、両端部がギア噛合の駆動伝達ユニツト5に連結され、回転駆動されるようになっている。なお、駆動伝達ユニツト5には、フレキシブルな駆動伝達系6を介して図示しない駆動部に連結されている。
【００２２】
天井部11の緩傾斜面112は、図2に詳細に示されるように、骨格部材1の梁12（急傾斜面111を支持するものと共通する）に取付ブラケット14を介して相対的に緩やかな傾斜角度で支持されている。この緩傾斜面112は、取付ブラケット14に支持されたフレーム材112aと、フレーム材112aに一定の間隔を介して水平に配設された横パイプ材112bと、フレーム材112a，横パイプ材112bを下支えする支フレーム112cとからなる。
【００２３】
天井部11の緩傾斜面112の支フレーム112cと梁12との間には、取付ブラケット15，16を介して補助支柱17が掛渡されている。この補助支柱17は、天井部11の急傾斜面111よりも緩やかな傾斜角度になっている。
【００２４】
天井部11の緩傾斜面112のフレーム材112a，横パイプ材112bの外側には、透明の合成樹脂材からなるシート材2が張設されている。このシート材2は、上端部が前述のく字形の固定用プレート3で緩傾斜面112の上端部に固定され、上端部から下方部分も緩傾斜面112に対して固定されている。
【００２５】
天井部11の急傾斜面111，緩傾斜面112の下端部の間には、コ字形の雨樋7が配設されている。
【００２６】
この実施の形態によると、駆動部により駆動伝達系6，駆動伝達ユニツト5を介して巻ローラ4を回転駆動させることにより、水平に配設されている巻ローラ4で天井部11の急傾斜面111に張設されているシート材2を水平に巻上げて、空気の流出入口を形成することができる。従って、シート材2に無理な応力を掛けてシート材2を損傷することがない。このとき、巻ローラ4は、天井部11の急傾斜面111の縦パイプ材111cの上を滑って円滑に上昇する。また、駆動伝達ユニツト5，駆動伝達系6は、巻ローラ4と一体的に上昇する。
【００２７】
空気の流出入口を形成した巻ローラ4の上昇状態は、例えば、駆動伝達ユニツト5における回転の停止状態のロツクによって保持される。
【００２８】
巻ローラ4の上昇状態が解除されると、巻ローラ4，駆動伝達ユニツト5，駆動伝達系6の自重によって、巻ローラ4がシート材2を繰出しながら降下して、空気の流出入口を閉鎖する。
【００２９】
従って、天井部11付近に複雑な開閉構造が備えられていないため、天井部11付近の構造が簡素化され構築コストが安価になる。
【００３０】
さらに、この実施の形態で形成される空気の流出入口は、天井部11の急傾斜面111に位置してほぼ側方に向けて開放されるため、空気が流入しやすくなる。そして、流出入口から流入した空気は、天井部11の緩傾斜面112に案内されて緩く下方へ向かうことになる。従って、流出入口から内部への空気の流入が充分に確保される。この結果、内部の全体へ空気が充分に流通することになる。
【００３１】
さらに、この実施の形態では、天井部11の急傾斜面111，緩傾斜面112が共通の梁12に支持され柱等を少なくすることができるため、内部へ有効に採光することができる。また、天井部11の緩傾斜面112が補助支柱17で支持されているため、急傾斜面111側で昇降するローラ4，駆動伝達ユニツト5，駆動伝達系6の荷重等のシート材2の巻取りに伴う応力等から緩傾斜面112の変形，損壊を防止する。また、雨樋7は、天井部11の急傾斜面111，緩傾斜面112の下端部が突合わされる谷構造からの雨水の満水を防止する。
【００３２】
図4は、本発明に係る簡易建屋の実施の形態（2）を示すものである。
【００３３】
この実施の形態では、空気の流出入口を天井部11の急傾斜面111の上半部にのみ形成するように構成している。
【００３４】
図5は、本発明に係る簡易建屋の実施の形態（3）を示すものである。
【００３５】
この実施の形態では、空気の流出入口を天井部11の急傾斜面111の上下の中途部分にのみ形成するように構成している。
【００３６】
以上、図示した実施の形態の外に、ビニルハウス以外にも適用することが可能である。
【００３７】
【発明の効果】
以上のように、本発明に係る簡易建屋は、天井部の一部のシート材の巻上げによって空気の流出入口を形成し、天井部付近に複雑な開閉構造を備えないため、天井部付近の構造が簡素化され構築コストが安価になる効果がある。
【００３８】
さらに、空気の流出入口を天井部の急傾斜面として空気の排出および流入をしやすくし、内部に流入した空気を天井部の緩傾斜面で緩やかに下方へ案内するため、内部の全体へ空気が充分に流通する効果がある。
【００４１】
さらに、シート材の巻取りに伴う応力等が掛かる天井部の緩傾斜面を補助支柱が支えるため、シート材の巻取りにより緩傾斜面が変形，損壊するのを防止することができる効果がある。
【図面の簡単な説明】
【図１】本発明に係る簡易建屋の実施の形態（1）を示す簡略化された側面断面図である。
【図２】図１の要部の拡大図である。
【図３】図２の要部の拡大斜視図である。
【図４】本発明に係る簡易建屋の実施の形態（2）を示す簡略化された側面断面図である。
【図５】本発明に係る簡易建屋の実施の形態（3）を示す簡略化された側面断面図である。
【符号の説明】
1            骨格材
11          天井部
111        急傾斜面
112        緩傾斜面
12          梁
17          補助支柱
2            シート材
4            巻ローラ
7            雨樋
【図１】
0003617634.tif 000002
【図２】
0003617634.tif 000003
【図３】
0003617634.tif 000004
【図４】
0003617634.tif 000005
【図５】
0003617634.tif 000006